(57)【要約】      （修正有）【課題】筆記具の収納性や本体の操作性を高めることができ、さらにさまざまな装飾体を備えることにより、外観的においても優れた見栄えを実現することができるペンスタンドを提供する。【解決手段】ペンスタンド１は、基台２と、基台２上に配置された収納本体１０と、収納本体１０の上面部１２に形成された複数の筆記具挿入孔２０とを備える。収納本体１０の上面部１２中央に、装飾体Ａを配置する第一載置部３０を形成した。収納本体１０の内部に、装飾体を配置する第二載置部と筆記具Ｂの先部が当設する緩衝部材を配置させた。さらに収納本体１０に、収納本体１０を基台２に対して回転自在に装着する回転軸を、側面に収納本体１０を回転させる際に指を掛ける指掛具７をそれぞれ装着した。【選択図】図１
0003185762.tif 000002
【実用新案登録請求の範囲】
【請求項１】
基台と、基台上に配置された収納本体と、収納本体の上面部に形成された複数の筆記具挿入孔とを備えるペンスタンドであって、収納本体の上面部中央に、装飾体を配置することができる第一載置部を形成したことを特徴とするペンスタンド。
【請求項２】
前記収納本体の内部に、装飾体を配置する第二載置部を配置させた請求項１記載のペンスタンド。
【請求項３】
前記収納本体の内部に、筆記具の先部が当設する緩衝部材を配置させた請求項１または２記載のペンスタンド。
【請求項４】
前記収納本体に、収納本体を前記基台に対して回転自在に装着する回転軸を装着した請求項１乃至３のうち何れか１項に記載のペンスタンド。
【請求項５】
前記収納本体の側面に、収納本体を回転させる際に指を掛ける指掛具を装着した請求項４記載のペンスタンド。
【考案の詳細な説明】
【技術分野】
【０００１】  本考案は、収納性や操作性を高めるとともに、さまざまな装飾体を備えることで、外観的においても優れた見栄えを発揮することができるペンスタンドに関する。
【背景技術】
【０００２】  従来より、鉛筆やボールペン等の筆記具を複数立て掛けるペンスタンドがある。一般的なペンスタンドは、大径のケースに複数の筆記具を立て掛けるものや、ケース内に仕切り部を設けて、区画内に種類別に立て掛けるタイプのものがある。【０００３】  また、ペンスタンドに関する先行技術として、キャップ付きの筆記具においては最初にキャップを外すだけで、以後は使用時に筆記具本体に対するキャップの着脱をその都度行わなくともスムーズに書き物をすることができ、かつ、使用しない間も筆記具本体の先端部の芯材に含有させたインク等が蒸発することがないようにしたペン立てがある（例えば特許文献１参照）。
上掲特許文献１のペン立ては、油性特殊粘土で所定の形状にペン立て本体を形成し、このペン立て本体に、筆記具の先端部を挿入して前記先端部の外周面の全体または外周面の環状の一部を密着保持させて前記筆記具をペン立て本体に立てられるようにした孔を複数形成したことを特徴とするものである。
【先行技術文献】
【特許文献】
【０００４】
【特許文献１】特開２００５−２３１２７７号公報
【考案の概要】
【考案が解決しようとする課題】  しかしながら、特許文献１のペン立ては、ペン立て本体が一体化された状態で台上に載置されるため、ペン立て本体の載置角度によっては使い勝手が低下するという問題があった。また、全体形状が簡素なために、外観的デザインの見栄えを高めることができなかった。【０００５】  そこで本考案は上記の点に鑑み、太さの異なる筆記具を任意の角度に立て掛けることができ、収納性や操作性を高めるとともに、さまざまな装飾体を備えることにより、外観的においても優れた見栄えを実現することができるペンスタンドを提供することにある。
【解決を解決するための手段】
【０００６】  上記課題を解決するために本考案のペンスタンドは、基台と、基台上に配置された収納本体と、収納本体の上面部に形成された複数の筆記具挿入孔とを備えるペンスタンドであって、収納本体の上面部中央に、装飾体を配置することができる第一載置部を形成したことを特徴とする。
【０００７】  また前記収納本体の内部に、装飾体を配置する第二載置部を配置させた。
【０００８】  また前記収納本体の内部に、筆記具の先部が当設する緩衝部材を配置させた。
【０００９】  また前記収納本体に、収納本体を前記基台に対して回転自在に装着する回転軸を装着した。
【００１０】  さらに前記収納本体の側面に、収納本体を回転させる際に指を掛ける指掛具を装着した。
【考案の効果】
【００１１】  本考案のペンスタンドは、基台と、基台上に配置された収納本体と、収納本体の上面部に形成された複数の筆記具挿入孔とを備えるペンスタンドであって、収納本体の上部部中央に、装飾体を配置することができる第一載置部を形成したことにより、実用性とともに外観的においても優れた見栄えを実現することができる。
【００１２】  また前記収納本体に、収納本体を前記基台に対して回転自在に装着する回転軸を装着したことにより、操作性や意外性も付与することができる。
【図面の簡単な説明】
【００１３】
【図１】本考案におけるペンスタンドの全体斜視図である。
【図２】前記ペンスタンドの断面図である。
【図３】筆記具挿入孔の平面図である。
【図４】他の筆記具挿入孔の平面図である。
【考案を実施するための形態】
【００１４】  本考案のペンスタンドは、収納性や操作性を高めるとともに、さまざまな装飾体を備えることで、外観的においても優れた特性を有することを特徴とする。
以下、本考案のペンスタンドにおける実施の形態を図面に基づいて説明する。
【００１５】  図１および図２に示すペンスタンド１は、基台２と、基台２上に配置された収納本体１０と、収納本体１０の上面部１２に形成された複数の筆記具挿入孔２０とを備える。また特に、本考案のペンスタンド１は、収納本体１０の上面部１２の中央に、装飾体Ａを配置することが第一載置部３０を形成したことを特徴とする。
【００１６】  基台２は、肉厚の円盤状を呈しており、底面には滑止具３が装着されている。また前記基台２の中央部には開口部４が形成されており、かかる開口部４には、前記収納本体１０を回転自在に装着する回転軸５が装着されている。
【００１７】  収納本体１０は、中空状の筒状体に形成されており、内部構造が視認できる透明、もしくは半透明のプラスチック樹脂にて形成することが好ましい。また前記収納本体１０の底面部１１には、前記回転軸５が固定されている。
【００１８】  また前記収納本体１０の上面部１２には、鉛筆やボールペン等の筆記具Ｂを挿入する筆記具挿入孔２０が複数形成されている。かかる筆記具挿入孔２０は、収納本体１０の上面部１２の周囲箇所に等間隔で形成されている。
【００１９】  前記筆記具挿入孔２０は、図３に示す大径開孔部２２を有する上部体２１と、図４に示す、上部体２１の下面に配置される下部体２３からなる。前記下部体２３はゴム材等の素材からなり、該下部体２３には小径開孔部２４が穿孔されている。また小径開孔部２４の周囲には、複数の切込２５が形成されている。そのことにより、小径開孔部２４内に太さの異なる筆記具Ｂを確実に挿入できさ、筆記具Ｂを安定した状態で保持することができる。なお前記下部体２３の下面には、収納本体１０の上面部１２に形成された開孔部１３が配置されている。
【００２０】  また特に、前記収納本体１０の上面部１２の中央に、装飾体Ａを配置することができる第一載置部３０が形成されている。第一載置部３０は、収納本体１０の上面部１２の中央より立設されており、最上部には、前記オブジェＡを配置する凹部３１が形成されている。また凹部３１の中央には、第二装飾体Ａ´の先端が配置される開孔部３２が形成されている。
【００２１】  また前記収納本体１０の内部には、第二装飾体Ａ´を配置する第二載置部３３が形成されている。第二載置部３３は、前記収納本体１０の底面部１１の中央に設置された突起部３４であり、突起部３４に第二装飾体Ａ´の底面を挿入することで、収納本体１０の内部に収容させることができる。
【００２２】  前記装飾体Ａは、特に限定されるものではないが、建築物、マスコット、動物、植物、キャラクター、乗り物、文房具、各造形物等、さまざまなものを用いることができる。
【００２３】  また前記収納本体１０の内部の底面部１１の上面に、筆記具Ｂの先部が当設する緩衝部材６を配置させた。緩衝部材６はスポンジ等の緩衝性を有する素材で形成されている。前記緩衝部材６を配置させることで、筆記具Ｂを立て掛けた際、筆記具Ｂの先端を傷めることがなく、筆記具Ｂを安定させた状態で立て掛けることができる。さらに、筆記具Ｂを任意の角度に立て掛けることもできる
【００２４】  さらに前記収納本体１０の側面に、収納本体１０を回転させる際に指を掛ける指掛具７を装着した。指掛具７は凸状に形成されており、収納本体１０の周縁側面に等間隔に複数設置されている。収納本体１０の側面に指掛具７を装着することにより、基台２に対して収納本体１０を容易に回転させることができ、反対側にある筆記具を容易に手前に移動させることができる。
【００２５】  上述により、本考案のペンスタンド１は、収納本体１０の上面部１２の中央に、装飾体Ａを配置することが第一載置部３０を形成したことにより、実用性とともに外観的においても優れた見栄えを実現することができる。
【００２６】  また前記収納本体１０に、収納本体１０を前記基台２に対して回転自在に装着する回転軸５を装着したことにより、操作性や意外性も付与することができる。
【符号の説明】
【００２７】１    ペンスタンド
２    基台
３    滑止具
４    開口部
５    回転軸
６    緩衝部材
７    指掛具
１０  収納本体
１１  底面部
１２  上面部
１３  開孔部
２０  筆記具挿入孔
２１  上部体
２２  大径開孔部
２３  下部体
２４  小径開孔部
２５  切込
３０  第一載置部
３１  凹部
３２  開孔部
３３  第二載置部
３４  突起部
Ａ    装飾体
Ａ´  第二装飾体
Ｂ    筆記具
【図１】
0003185762.tif 000003
【図２】
0003185762.tif 000004
【図３】
0003185762.tif 000005
【図４】
0003185762.tif 000006